(57)【特許請求の範囲】
【請求項１】
光源の発する光を前方照射方向である第１方向へ向けて反射する曲面鏡を有する主反射鏡と、
前記第１方向の光路上に設けられており、前記主反射鏡で反射されて前記第１方向へ照射される光の一部を側方へ向けて反射する柱状体と、
を含むことを特徴とする、警告灯用反射鏡。
【請求項２】
前記主反射鏡よりも前記光源寄りの内方位置に設けられ、前記光源の発する光を前記第１方向へ向けて反射する曲面鏡を有する副反射鏡をさらに備え、
前記柱状体は、前記副反射鏡の曲面鏡が形成された内面と反対側の外面に立設されていることを特徴とする、請求項１記載の警告灯用反射鏡。
【請求項３】
前記柱状体は、前記第１方向の上流側に頂点を有し、２辺が前記第１方向に対して左右に斜めに延びた略断面三角形状をしていることを特徴とする、請求項１または２に記載の警告灯用反射鏡。
【請求項４】
前記柱状体は、複数本設けられていることを特徴とする、請求項１〜３のいずれか一項に記載の警告灯用反射鏡。
【請求項５】
請求項１〜４のいずれかに記載の警告灯用反射鏡が１つの反射鏡ユニットを形成しており、
当該反射鏡ユニットが、前記第１方向と直交方向に複数個隣接するように組み合わされていることを特徴とする、警告灯用反射鏡。
【請求項６】
前記主反射鏡の曲面鏡は回転放物面鏡であることを特徴とする、請求項１〜５のいずれか一項に記載の警告灯用反射鏡。
【請求項７】
前記主反射鏡の回転放物面鏡には、左右方向に沿って波状で、かつ、上下方向に沿って鋸歯状の細かな凹凸が連続形成されていることを特徴とする、請求項６に記載の警告灯用反射鏡。
【請求項８】
請求項１〜７のいずれかに記載の警告灯用反射鏡と、
前記光源の位置に、基板上に実装された光源が配置されるように組み合わされてなる、警告灯。
【発明の詳細な説明】
【技術分野】
【０００１】
この発明は、種々の分野において利用される警告灯に関し、特に、警告灯のための新規な反射鏡およびその反射鏡を用いた警告灯に関する。
【背景技術】
【０００２】
警告灯の先行技術として、たとえば特許文献１、特許文献２、特許文献３および特許文献４に記載のものが存在する。
従来の警告灯においては、反射鏡として放物面鏡を有している。放物面鏡によって反射された光は前方へ照射される。このため、真正面ではなく、斜め前方向から見た時の視認性が低いという欠点があった。
【先行技術文献】
【特許文献】
【０００３】
【特許文献１】特開２００２−２４５８０５号公報
【特許文献２】特開平５−１３５６０７号公報
【特許文献３】特開２００７−２９４２７１号公報
【特許文献４】特開２００９−７０５７８号公報
【発明の概要】
【発明が解決しようとする課題】
【０００４】
この発明は、従来の警告灯における斜め前方向からの視認性の悪さを改良することを解決課題としている。
この発明の目的は、前方および前方斜め左右方向からの視認性に優れた、警告灯用反射鏡およびその反射鏡を用いた警告灯を提供することを主たる目的とする。
【課題を解決するための手段】
【０００５】
請求項１記載の発明は、光源の発する光を前方照射方向である第１方向へ向けて反射する曲面鏡を有する主反射鏡と、前記第１方向の光路上に設けられており、前記主反射鏡で反射されて前記第１方向へ照射される光の一部を側方へ向けて反射する柱状体と、を含むことを特徴とする、警告灯用反射鏡である。
請求項２記載の発明は、前記主反射鏡よりも前記光源寄りの内方位置に設けられ、前記光源の発する光を前記第１方向へ向けて反射する曲面鏡を有する副反射鏡をさらに備え、前記柱状体は、前記副反射鏡の曲面鏡が形成された内面と反対側の外面に立設されていることを特徴とする、請求項１記載の警告灯用反射鏡である。
【０００６】
請求項３記載の発明は、前記柱状体は、前記第１方向の上流側に頂点を有し、２辺が前記第１方向に対して左右に斜めに延びた略断面三角形状をしていることを特徴とする、請求項１または２に記載の警告灯用反射鏡である。
請求項４記載の発明は、前記柱状体は、複数本設けられていることを特徴とする、請求項１〜３のいずれか一項に記載の警告灯用反射鏡である。
【０００７】
請求項５記載の発明は、請求項１〜４のいずれかに記載の警告灯用反射鏡が１つの反射鏡ユニットを形成しており、当該反射鏡ユニットが、前記第１方向と直交方向に複数個隣接するように組み合わされていることを特徴とする、警告灯用反射鏡である。
請求項６記載の発明は、前記主反射鏡の曲面鏡は回転放物面鏡であることを特徴とする、請求項１〜５のいずれか一項に記載の警告灯用反射鏡である。
【０００８】
請求項７記載の発明は、前記主反射鏡の回転放物面鏡には、左右方向に沿って波状で、かつ、上下方向に沿って鋸歯状の細かな凹凸が連続形成されていることを特徴とする、請求項６に記載の警告灯用反射鏡である。
請求項８記載の発明は、請求項１〜７のいずれかに記載の警告灯用反射鏡と、前記光源の位置に、基板上に実装された光源が配置されるように組み合わされてなる、警告灯である。
【発明の効果】
【０００９】
この発明によれば、前方および前方斜め左右方向からの視認性の高い警告灯用反射鏡および警告灯を提供することができる。
また、この発明によれば、横方向にも照射光が拡がり、前方および斜め前左右方向からも視認性に優れた警告灯用反射鏡および警告灯を提供することができる。
【図面の簡単な説明】
【００１０】
【図１】図１は、この発明の一実施形態に係る警告灯用反射鏡１０の斜視図である。
【図２】図２は、この発明の一実施形態に係る警告灯用反射鏡１０の正面図である。
【図３】図３は、この発明の一実施形態に係る警告灯用反射鏡１０の右側面図である。
【図４】図４は、この発明の一実施形態に係る警告灯用反射鏡１０の平面図である。
【図５】図５は、この発明の一実施形態に係る警告灯用反射鏡１０の背面図である。
【図６】図６は、この発明の一実施形態に係る警告灯用反射鏡１０の底面図である。
【図７】図７は、図２のＡ−Ａに沿う警告灯用反射鏡１０の横断面図である。
【図８】図８は、図４のＢ−Ｂに沿う警告灯用反射鏡１０の縦断面図である。
【図９】図９は、図４のＣ−Ｃに沿う警告灯用反射鏡１０の縦断面図である。
【図１０】図１０は、主反射鏡１３の回転放物面鏡２１の表面の具体的な構成例を示す図である。
【図１１】図１１は、この発明の一実施形態に係る警告灯用反射鏡１０を用いて構成される警告灯が搭載され得る装置の一例を示す斜視図である。
【図１２】図１２は、この発明の他の実施形態に係る警告灯用反射鏡４０の斜視図である。
【図１３】図１３は、この発明のさらに他の実施形態に係る警告灯用反射鏡５０の平面図である。
【図１４】図１４は、この発明のさらに他の実施形態に係る警告灯用反射鏡５０の正面図である。
【図１５】図１５は、この発明のさらに他の実施形態に係る警告灯用反射鏡５０の右側面図である。
【図１６】図１６は、この発明のさらに他の実施形態に係る警告灯用反射鏡５０の左側面図である。
【図１７】図１７は、図１４のＤ−Ｄに沿う横断面図である。
【図１８】図１８は、この発明のさらに他の実施形態に係る警告灯用反射鏡６０の平面図である。
【図１９】図１９は、この発明のさらに他の実施形態に係る警告灯用反射鏡６０の正面図である。
【図２０】図２０は、図１９のＥ−Ｅに沿う横断面図である。
【発明を実施するための形態】
【００１１】
以下には、図面を参照して、この発明の実施形態について具体的に説明をする。
図１は、この発明の一実施形態に係る警告灯用反射鏡１０の斜視図である。この警告灯用反射鏡１０の特徴は、等しい構成の４つの反射鏡ユニット１１が、光を照射する前方照射方向としての第１方向１２に対して直交方向に隣接して配置するように組み合わされていることである。
【００１２】
警告灯用反射鏡１０を構成する４つの反射鏡ユニット１１は、それぞれ、主反射鏡１３と、副反射鏡１４と、副反射鏡１４の上面に立設された３本の柱状体１５とを有している。
これにより、各反射鏡ユニット１１毎に設けられる光源が発する光を、前方反射方向である第１方向１２へ向けて照射するとともに、柱状体１５の作用により、第１方向に対し斜め前方方向である第２方向１６へ向けても光を照射する構成とされている。
【００１３】
図２は、この発明の一実施形態に係る警告灯用反射鏡１０の正面図であり、図３はその右側面図であり、図４はその平面図であり、図５はその背面図であり、図６はその底面図である。
また、図７は、図２のＡ−Ａに沿う警告灯用反射鏡１０の横断面図である。さらに、図８は、図４の矢印Ｂ−Ｂに沿う警告灯用反射鏡１０の縦断面図であり、図９は、図４のＣ−Ｃに沿う警告灯用反射鏡１０の縦断面図である。
【００１４】
図２〜図９を参照して、この発明の一実施形態に係る警告灯用反射鏡１０の構成を詳細に説明する。
警告灯用反射鏡１０は、上述した通り、４つの反射鏡ユニット１１が第１方向１２と直交方向に隣接配置するように組み合わされている。各反射鏡ユニット１１の構成は共通であり、主反射鏡１３、副反射鏡１４および３本の柱状体１５を備えている。
【００１５】
この警告灯用反射鏡１０が警告灯として機能する際には、各反射鏡ユニット１１に対してそれぞれ光源が組み合わされる。各反射鏡ユニット１１に対する光源の組み合わせ位置は、図８において２０で示す光源位置である。
主反射鏡１３は、下方から斜め前方にアーチ状に立ち上がった後方曲面壁となっており、その内面には回転放物面鏡２１が形成されている。光源位置２０における光源の発する光は、矢印Ａ１で示すように、回転放物面鏡２１で反射されて、第１方向１２へ向けて照射される（図８参照）。
【００１６】
また、主反射鏡１３よりも光源位置２０に近い内方位置には、光源位置２０における光源の発する光を第１方向１２へ向けて反射するための副反射鏡１４が設けられている。副反射鏡１４は、その内面の一部に回転放物面に類似した曲面鏡２２が形成されている。このため、光源位置２０の光源が発する光は副反射鏡１４の内面の曲面鏡２２で反射され、前方照射方向である第１方向１２へ向けて照射される（図８参照）。
【００１７】
このように、この実施形態に係る警告灯用反射鏡１０においては、各反射鏡ユニット１１が、主反射鏡１３により相対的に上方位置から前方へ向かって光を照射し、かつ、相対的に下方位置からは、副反射鏡１４により前方に向かって光が照射される。
各反射鏡ユニット１１には、それぞれ、３本の柱状体１５が設けられている。柱状体１５は、この実施形態では副反射鏡１４の前方寄り上面に立設されており、主反射鏡１３の最上部と同じ高さまで上方に延びている。
【００１８】
柱状体１５は、反射鏡ユニット１１の幅方向（第１方向１２と直交方向）に見て、反射鏡ユニット１１の幅方向中央部で、先端縁からやや内方へ入った位置に１本の柱状体１３が設けられ、先端縁寄りの位置で、反射鏡ユニット１１の幅方向左右両側位置に、それぞれ、柱状体１５が設けられている。
柱状体１５は、断面形状が略三角形状をしている。より具体的には、第１方向１２の上流側に頂点を有し、２辺が第１方向１２に対して左右斜めに延びた略二等辺三角形状の断面形状をしている。略二等辺三角形状と述べたのは、上述の左右に斜めに延びる２本の斜辺が、心持ち外方へ膨らんだ湾曲辺となっているからである。
【００１９】
光源から発する光は主反射鏡１３で反射され、第１方向１２へ照射される。柱状体１５は、主反射鏡１３で反射され第１方向１２へ照射される反射光の光路上に設けられている。このため、主反射鏡１３で反射されて第１方向１２へ照射される光のうち、柱状体１５にぶつかる光は、柱状体１５で反射されて、斜め前方方向である第２方向１６へ照射される（図７参照）。
【００２０】
警告灯用反射鏡１０は、以上のような構成であるから、その正面から見た照射面が横方向に長く構成されており、所定の高さ範囲内において、横方向に長い照射面を確保することができる。よって、前方照射方向である第１方向１２へ向けて視認性良く光を照射することができる。
また、複数の柱状体１５で、第１方向へ向けて照射される光の一部は反射され、斜め前方向である第２方向１６へ向けても光が照射される。従って、横方向に見て、より広範囲に光を照射することができる。
【００２１】
この実施形態に係る警告灯用反射鏡１０では、各反射鏡ユニット１１における主反射鏡１３の回転放物面鏡２１が、ノーマルな回転放物面鏡２１ではなく、その鏡面に左右方向に沿って波形で、かつ、上下方向に沿って鋸歯状の細かな凹凸が連続形成された変形回転放物面鏡２１を用いた。用いた回転放物面鏡２１の表面の一部の構成を、図１０に示す。
回転放物面鏡２１の表面が図１０に示すような細かな凹凸が連続形成された表面とした場合、放物面鏡２１で反射される光の照射方向がランダムになる。このため、第１方向１２へ照射される光の光束が拡がり、第１方向１２へ照射される光の視認性の向上が期待できる。
【００２２】
なお、回転放物面鏡２１を、ノーマルな鏡面の回転放物面鏡としてもよいことは勿論である。
また、この実施形態に係る警告灯用反射鏡１０では、反射鏡ユニット１１に備えられた副反射鏡１４についても、その曲面鏡２２が、たとえば縦方向に筋の入った曲面鏡２２を用いた。これによって、第１方向１２へ照射される光の光束が横方向に広がることが期待できる。
【００２３】
副反射鏡１４に関しても、その曲面鏡２２を、ノーマルな回転放物面鏡としてもよい。
図１１は、上記一実施形態に係る警告灯用反射鏡１０を用いた警告灯が搭載される装置の一例を示す斜視図である。図１０に示す装置は、たとえば消防車の屋根に取り付けられる散光式警光灯装置３０である。この発明の一実施形態に係る警告灯用反射鏡１０を用いた警告灯は、この散光式警光灯装置３０の左右両側で挟まれたユニット中央部内に、横方向に長手をなすように組み込まれるものである。なお、この散光式警光灯装置３０の左右両側のユニット内には、たとえば回転警告灯がそれぞれ組み込まれる。
【００２４】
図１２は、この発明の他の実施形態に係る警告灯用反射鏡４０の斜視図である。警告灯用反射鏡４０が先に説明した警告灯用反射鏡１０と異なる点は、２つの反射鏡ユニット１１が横方向に組み合わせてなることであり、横方向の幅が狭いことである。
このように、反射鏡ユニット１１は、横方向に配列して組み合わせる数は、任意の数でよく、先の実施形態に係る警告灯用反射鏡１０のように、４つの反射鏡ユニット１１を組み合わせた構成とすることもできるし、この実施形態に係る警告灯用反射鏡４０のように、２つの反射鏡ユニット１１を組み合わせた構成としてもよい。
【００２５】
また、図示しないが、反射鏡ユニット１１を、横方向に３つ組み合わせた構成、５つ以上組み合わせた構成の警告灯用反射鏡とすることもできる。
図１３は、この発明のさらに他の実施形態に係る警告灯用反射鏡５０の平面図であり、図１４はその正面図であり、図１５はその右側面図であり、図１６はその左側面図であり、図１７は、図１４のＤ−Ｄに沿う警告灯用反射鏡５０の横断面図である。
【００２６】
図１３〜図１７を参照して、警告灯用反射鏡５０について説明する。
警告灯用反射鏡５０も、３つの反射鏡ユニット１１の組み合わせからなるが、各反射鏡ユニット１１において、副反射鏡１４の構成と、副反射鏡１４の外面に立設された柱状体１５の立設位置および形状が異なっている。
すなわち、図１３〜１７に示すように、副反射鏡１４は、第１方向１２へ向かう長さを長く延ばし（副反射鏡１４の前端を前方へ長く延ばし）、かつ、その延ばす長さを３つの反射鏡ユニット１１でそれぞれ異ならせる。
【００２７】
そして、副反射鏡１４の外面前端寄りの位置に、柱状体１５が横方向に斜めに直線状に並ぶように配置されている。３つの反射鏡ユニット１１を通して、全ての柱状体１５は、一直線上に並ぶように構成されている。
このように構成することにより、柱状体１５により斜め前方方向または側方へ反射される光の反射範囲を拡げることができ、側方からの視認性を向上させることができる。なお、図面上で右側方から見たとき、各柱状体１５で反射された大半の光が他の柱状体１５で遮られないよう本実施例では配置している。つまり、各柱状体１５で反射された大半の光が他の柱状体１５で遮られないように配置するとき、完全な一直線上に並ぶように構成する必要はない。少なくとも一方向（側方ならびに斜め方向）から柱状体１５を見たとき、各柱状体１５の反射面が互いに重複しないよう配置すれば、その反射光を損失させることなく、各反射鏡ユニット１１の外部に照射することができる。また、柱状体１５の断面形状も、図示のように、曲線で区画されたティアドロップ状に似た形状としてもよい。
【００２８】
図１８は、この発明のさらに他の実施形態に係る警告灯用反射鏡６０の平面図であり、図１９はその正面図であり、図２０は図１９のＥ−Ｅに沿う縦断面、すなわち警告灯用反射鏡６０の縦断面図である。
図１８〜図２０に示す警告灯用反射鏡６０の特徴は、先に説明した警告灯用反射鏡５０と同様に、各反射鏡ユニット１１において、副反射鏡１４の前方への突出長さが変えられていること、中央の反射鏡ユニット１１において、副反射鏡１４の突出長さが一番長く、左右両側へ向かって徐々に短くなるような左右対称の形状とされていること、ならびに、副反射鏡１４の外面前方に立設された柱状体１５が、中央部を中心に左右対称な柱状体とされていることである。
【００２９】
このような構成とすれば、左側に位置する柱状体１５は、左側方へ光を反射し、右側に位置する柱状体１５は、右側方へ向かって光を反射する。
よって、左右方向からの視認性に優れ、しかも左右いずれの方向から見ても良好に視認することのできる警告灯用反射鏡６０とすることができる。
この発明によれば、以上説明したように、種々の実施形態を構成することができる。
【００３０】
しかし、これら説明した実施形態に限定されるものではなく、次のような変形も可能である。
たとえば、柱状体１５は、いずれの実施形態でも、副反射鏡１４の外面上に立設された構成としたが、これに代え、主反射鏡１３の上部前端を前方へ延ばして庇を形成し、当該庇から下方へ柱状体１５が延び下がった構成としてもよい。
【００３１】
あるいは、上記の庇と、副反射鏡１４の外面との間で、柱状体１５の上下端が保持された構成としてもよい。
なお、柱状体１５は、前側方または側方から見てその存在がわかる（光って見える）構成であってもよい。すなわち、柱状体１５は、それ自身が光を透過しつつ、その光の一部を側方等へ反射するように、透明や半透明樹脂で形成されていて、表面に鏡面処理が施されていないものとしてもよい。
【００３２】
さらに、上記各実施形態では、副反射鏡１４が備えられた反射鏡ユニット１１を例に挙げて説明したが、副反射鏡１４を省略し、主反射鏡１３と柱状体１５だけからなる反射鏡ユニットまたは警告灯用反射鏡とすることもできる。このとき、柱状体１５を主反射鏡１３の前方上端から吊り下がるように一体的に設けることもできる。また、柱状体１５が反射する機能を有せればよく、その全体を樹脂で形成し、アルミ膜などの金属膜による蒸着塗布するほか、その蒸着膜を塗布せずに透明樹脂のみで形成してもかまわない。
【００３３】
その他、この発明は、請求項記載の範囲内において種々の変更が可能である。
【符号の説明】
【００３４】
１０、４０、５０、６０    警告灯用反射鏡
１１    反射鏡ユニット
１２    第１方向
１３    主反射鏡
１４    副反射鏡
１５    柱状体
１６    第２方向
２０    光源位置
２１    回転放物面鏡
２２    曲面鏡
３０    散光式警光灯装置
【図１】
0005854288.tif 000002
【図２】
0005854288.tif 000003
【図３】
0005854288.tif 000004
【図４】
0005854288.tif 000005
【図５】
0005854288.tif 000006
【図６】
0005854288.tif 000007
【図７】
0005854288.tif 000008
【図８】
0005854288.tif 000009
【図９】
0005854288.tif 000010
【図１２】
0005854288.tif 000011
【図１３】
0005854288.tif 000012
【図１４】
0005854288.tif 000013
【図１５】
0005854288.tif 000014
【図１６】
0005854288.tif 000015
【図１７】
0005854288.tif 000016
【図１８】
0005854288.tif 000017
【図１９】
0005854288.tif 000018
【図２０】
0005854288.tif 000019
【図１０】
0005854288.tif 000020
【図１１】
0005854288.tif 000021